(57)【要約】【課題】スロットイン式のディスク挿入部へのディスク挿入によってシステム起動がなされるものであるとともに、挿入されたディスクの引き込みを早いタイミングで実行することが可能なディスク再生システムを提供する。【解決手段】スロットイン式のディスク挿入部を有し、セットされたディスクから情報を読み取るディスク読取装置と、ディスプレイを有し、前記情報に基づいて映像を表示させる映像表示装置と、を備え、ＯＦＦ状態の時に、ディスク挿入部にディスクが所定量挿入されると、映像表示装置およびディスク読取装置が順に立ち上げられて、ＯＮ状態となるものであり、挿入されたディスクをディスク読取装置の内部に引き込む処理が、映像表示装置が立ち上げられた後、ディスク読取装置の立ち上げが開始される前のタイミングで行われるディスク再生システムとする。【選択図】図２
2008243247.tif 000002
【特許請求の範囲】
【請求項１】
スロットイン式のＤＶＤ挿入部を有し、該ＤＶＤ挿入部を通じてセットされたＤＶＤから情報を読み取る処理を実行するＤＶＤ読取装置と、
液晶ディスプレイを有し、前記ＤＶＤ読取装置から伝送された前記情報に基づいて、該液晶ディスプレイに映像を表示させる処理を実行する映像表示装置と、
を備えたＤＶＤ再生システムであって、
該システムがＯＦＦ状態の時に、前記ＤＶＤ挿入部に前記ディスクが所定量挿入されると、前記映像表示装置および前記ＤＶＤ読取装置が順に立ち上げられて、該システムがＯＮ状態となるものであり、
前記挿入されたＤＶＤを前記ディスク読取装置の内部に引き込む、引込処理が、
前記映像表示装置が立ち上げられた後であって、前記ＤＶＤ読取装置の立ち上げが開始される前のタイミングで行われ、
前記映像表示装置の立上げ処理は、前記液晶ディスプレイにおけるバックライトを点灯させる処理を含み、
前記引込処理の制御は、前記映像表示装置の立上げ処理を制御する制御装置によってなされるものであり、
前記映像表示装置は、放送波を受信して、該放送内容の映像を表示させることが可能である
ことを特徴とするＤＶＤ再生システム。
【請求項２】
スロットイン式のディスク挿入部を有し、該ディスク挿入部を通じてセットされたディスクから情報を読み取る処理を実行するディスク読取装置と、
ディスプレイを有し、前記ディスク読取装置から伝送された前記情報に基づいて、該ディスプレイに映像を表示させる処理を実行する映像表示装置と、
を備えたディスク再生システムであって、
該システムがＯＦＦ状態の時に、前記ディスク挿入部に前記ディスクが所定量挿入されると、前記映像表示装置および前記ディスク読取装置が順に立ち上げられて、該システムがＯＮ状態となるものであり、
前記挿入されたディスクを前記ディスク読取装置の内部に引き込む、引込処理が、
前記映像表示装置が立ち上げられた後であって、前記ディスク読取装置の立ち上げが開始される前のタイミングで行われることを特徴とするディスク再生システム。
【請求項３】
前記ディスプレイは液晶ディスプレイであって、
前記映像表示装置の立ち上げ処理は、
少なくとも該液晶ディスプレイにおけるバックライトを点灯させる処理を含むことを特徴とする請求項２に記載のディスク再生システム。
【請求項４】
前記引込処理の制御は、前記映像表示装置の立上げ処理を制御する制御装置によってなされることを特徴とする請求項２または請求項３に記載のディスク再生システム。
【請求項５】
請求項２から請求項４の何れかに記載のディスク再生システムであって、
前記ディスクはＤＶＤであり、
前記映像表示装置は、放送波を受信して、該放送内容の映像を表示させることが可能であることを特徴とするＤＶＤ再生システム。
【発明の詳細な説明】
【技術分野】
【０００１】
本発明は、ＤＶＤなどのディスクから情報を読出して再生するディスク再生システムに関し、特に、スロットイン式のディスク挿入部を有するものに関する。
【背景技術】
【０００２】
従来、ＤＶＤ［Digital Versatile Disk］といった情報メディア用ディスクの普及に伴い、ディスクから情報を読取るディスク読取装置と、読取られた情報に基づいて映像を表示させる映像表示装置の双方を備えた、ディスク再生システムが広く用いられている。また映像表示装置にテレビ放送の受信機能を備えさせ、ディスクの再生とテレビ番組の視聴が兼用できるようになったものも存在する。
【０００３】
またディスク読取装置では、スロットイン式のディスク挿入口が設けられているものがある。この仕様では通常、フォトインタラプタ等によってディスクの挿入を監視しており、ユーザによって所定量挿入されたときに、このディスクを本体内部に引き込むこととしている。そのため、例えばトレイの出し入れが必要なトレイ式のものに比べ、ディスクのセッティングをより素早く行うことが可能となっている。
【０００４】
また更に、スロットイン式のディスク挿入口を備えているものでは、ＯＦＦ状態（スタンバイ状態）の時にディスクの挿入が検知されると、これをトリガーとして、システムの起動処理を実行させる（以下、このような起動を「スロットイン起動」と称する）ものも存在する。この場合、起動処理を行わせるにあたって、別途他の操作（ボタンスイッチの押下など）が行われる必要がなく、ユーザにとって利便性の良いものとなる。
【０００５】
ここでスロットイン起動の処理順序に着目すると、まず映像表示装置側の立上げ（映像表示装置側のマイコンの起動と、該マイコンによる各部の起動処理）がなされ、その後、ディスク読取装置側の立上げ（ディスク読取装置側のマイコンの起動と、該マイコンによる各部の起動処理）がなされる。このように各装置の立上げ時期を重複させないことで、それぞれの立上げ処理を、安定した電力状態で行わせることが可能となっている。
【０００６】
なお映像表示装置側が先に立上げられるのは、通常、映像表示装置がメイン（ディスク読取装置側はサブ）であること等によるものである。また映像表示装置が、テレビ受信機を兼ねる場合（この場合、映像表示装置を単独で用いることが可）や、液晶ディスプレイのように起動時にバックライトの点灯等を要するものである場合（比較的電力の消費が大きく、早めに立上げられることが望ましい）には、特に映像表示装置側の起動処理が優先される。
【０００７】
ここで、ディスク読取装置においてなされる各種処理は、ディスク読取装置側を制御する制御装置（ここではマイコン）によってなされるのが通常である。そのため、ユーザによって所定量挿入されたディスクを、更に本体内部に引き込む処理（引込処理）は、ディスク読取装置のマイコンによってなされることになる。そのため、この引込処理のなされるタイミングは、ディスク読取装置側の立上げが完了した後（早くとも、ディスク読取装置側のマイコンが起動された後）となる。
【０００８】
【特許文献１】特開２００６−２１６１２１号公報
【特許文献２】特開２００６−３１４０１５号公報
【特許文献３】特開２００１−３２６９０４号公報
【発明の開示】
【発明が解決しようとする課題】
【０００９】
上述したようなディスク再生システムでは、スロットイン起動が開始された後、さらに映像表示装置側の立上げおよびディスク読取装置の立上げを経た後に、引込処理がなされることになる。そのため、ディスクの挿入から引込処理がなされるまでに比較的長い時間がかかり、その間、ディスクはディスク挿入部に所定量挿入されたままの状態（露出状態）となる。
【００１０】
そのためユーザから見れば、ディスクを差し込んだ後もなかなか引き込まれないために、違和感を抱いたりストレスを感じたりすることがある。またディスクが中途半端に挿入されたままの状態が長く続くと、ユーザが誤ってディスクに触れてしまい、ディスクを傷めてしまう可能性も高くなる。
【００１１】
そこで本発明は、上記の問題に鑑みてなされたものであり、ディスク読取装置と映像表示装置を備え、スロットイン式のディスク挿入部へのディスク挿入によってシステム起動がなされるものであるとともに、挿入されたディスクの引き込みを早いタイミングで実行することが可能なディスク再生システムの提供を目的とする。
【課題を解決するための手段】
【００１２】
上記目的を達成するため、本発明によるディスク再生システムは、スロットイン式のディスク挿入部を有し、該ディスク挿入部を通じてセットされたディスクから情報を読み取る処理を実行するディスク読取装置と、ディスプレイを有し、前記ディスク読取装置から伝送された前記情報に基づいて、該ディスプレイに映像を表示させる処理を実行する映像表示装置と、を備えたディスク再生システムであって、該システムがＯＦＦ状態の時に、前記ディスク挿入部に前記ディスクが所定量挿入されると、前記映像表示装置および前記ディスク読取装置が順に立ち上げられて、該システムがＯＮ状態となるものであり、前記挿入されたディスクを前記ディスク読取装置の内部に引き込む、引込処理が、前記映像表示装置が立ち上げられた後であって、前記ディスク読取装置の立ち上げが開始される前のタイミングで行われる構成（第２の構成）とする。
【００１３】
本構成によれば、ディスク読取装置と映像表示装置を備え、スロットイン式のディスク挿入部へのディスク挿入によってシステム起動がなされる。そしてかかるシステム起動において、挿入されたディスクの引き込みは、映像表示装置が立ち上げられた後であって、ディスク読取装置の立ち上げが開始される前のタイミングで行われる。
【００１４】
そのため、ディスク読取装置の立ち上げが開始された後のタイミングでディスクの引き込みがなされるもの（ディスク読取装置側の制御装置が引き込み処理を制御する場合、通常このようになる）に比べて、ディスクの引き込みをより早いタイミングで実行させることが容易となる。
【００１５】
また上記第２の構成において、前記ディスプレイは液晶ディスプレイであって、前記映像表示装置の立ち上げ処理は、少なくとも該液晶ディスプレイにおけるバックライトを点灯させる処理を含む構成（第３の構成）としても良い。
【００１６】
本構成によれば、ディスクから読取られた情報に係る映像を、液晶ディスプレイに表示させることが可能となる。なお映像表示装置の立ち上げとディスク読取装置の立ち上げは、順になされる（異なるタイミングでなされる）ため、バックライトの点灯に伴う電力状態の変動によって、ディスク読取装置における立上げ処理の安定性が損なわれることは、極力回避される。
【００１７】
また上記第２または第３の構成において、前記引込処理の制御は、前記映像表示装置の立上げ処理を制御する制御装置によってなされる構成（第４の構成）としてもよい。
【００１８】
映像表示装置の立上げ処理を制御する制御装置であれば、映像表示装置の立上げが完了するタイミングを容易に検出することができる。そのため当該第４の構成によれば、映像表示装置の立上げ後、直ちに引込処理を行い、ディスクの引き込みを早いタイミングで実行させることが容易となる。
【００１９】
また上記第２から第４の構成に係るディスク再生システムとして、より具体的に、前記ディスクはＤＶＤであり、前記映像表示装置は、放送波を受信して、該放送内容の映像を表示させることが可能である構成（第５の構成）のＤＶＤ再生システムとしてもよい。
【００２０】
なお、スロットイン式のＤＶＤ挿入部を有し、該ＤＶＤ挿入部を通じてセットされたＤＶＤから情報を読み取る処理を実行するＤＶＤ読取装置と、液晶ディスプレイを有し、前記ＤＶＤ読取装置から伝送された前記情報に基づいて、該液晶ディスプレイに映像を表示させる処理を実行する映像表示装置と、を備えたＤＶＤ再生システムであって、該システムがＯＦＦ状態の時に、前記ＤＶＤ挿入部に前記ディスクが所定量挿入されると、前記映像表示装置および前記ＤＶＤ読取装置が順に立ち上げられて、該システムがＯＮ状態となるものであり、前記挿入されたＤＶＤを前記ディスク読取装置の内部に引き込む、引込処理が、前記映像表示装置が立ち上げられた後であって、前記ＤＶＤ読取装置の立ち上げが開始される前のタイミングで行われ、前記映像表示装置の立上げ処理は、前記液晶ディスプレイにおけるバックライトを点灯させる処理を含み、前記引込処理の制御は、前記映像表示装置の立上げ処理を制御する制御装置によってなされるものであり、前記映像表示装置は、放送波を受信して、該放送内容の映像を表示させることが可能である構成（第１の構成）のＤＶＤ再生システムであれば、上述した各構成により得られる利益を享受することができる。
【発明の効果】
【００２１】
上述の通り、本発明のディスク再生システムによれば、ディスク読取装置と映像表示装置を備え、スロットイン式のディスク挿入部へのディスク挿入によってシステム起動がなされる。そしてかかるシステム起動において、挿入されたディスクの引き込みは、映像表示装置が立ち上げられた後であって、ディスク読取装置の立ち上げが開始される前のタイミングで行われる。
【００２２】
そのため、ディスク読取装置の立ち上げが開始された後のタイミングでディスクの引き込みがなされるもの（ディスク読取装置側の制御装置が引き込み処理を制御する場合、通常このようになる）に比べて、ディスクの引き込みをより早いタイミングで実行させることが容易となる。
【発明を実施するための最良の形態】
【００２３】
本発明の実施形態として、図１に示す構成のＤＶＤ再生システムを挙げて、以下に説明する。本図のようにＤＶＤ再生システム１は、ＤＶＤ読取装置２とＴＶ放送受信装置３を備えている。まずこれらの構成について説明する。
【００２４】
ＤＶＤ読取装置２は、ディスク挿入部２１、ディスク読取部２２、およびＤＶＤ側マイコン２３などを有している。
【００２５】
ディスク挿入部２１は、スロットイン式の挿入口を有しており、ユーザがＤＶＤを直接挿入することができるようになっている。またディスク挿入部２１は、フォトインタラプタにより、挿入口内部にＤＶＤが所定量（例えば半分程度）挿入されたことを検出する検出装置や、所定量挿入されたＤＶＤをモータによって本体内部に完全に引き込むための引込装置などをも有している。
【００２６】
ディスク読取部２２は、光ピックアップ装置などを有しており、ディスク挿入部２１を通じてセッティングされたＤＶＤから情報を読み取る。
【００２７】
ＤＶＤ側マイコン２３は、ＤＶＤからの情報読取処理など、ＤＶＤ読取装置２においてなされる各処理を制御する。またＤＶＤ再生システム１の起動に際しては、ＤＶＤ読取装置２における各装置の立上げを行う。ただし後述する通り、スロットイン起動時にＤＶＤを引き込む処理（引込処理）については、ＴＶ放送受信装置３側のマイコン（ＴＶ側マイコン３５）が制御する。
【００２８】
またＴＶ放送受信装置３は、受信部３１、信号処理部３２、ドライブ信号生成部３３、ＬＣＤ３４、およびＴＶ側マイコン３５などを備えている。
【００２９】
受信部３１は、アンテナやチューナ回路などを有しており、選定されたチャンネルのテレビ放送を受信するとともに、放送信号を後段の回路に伝送する。
【００３０】
信号処理部３２は、受信部３１から伝送される放送信号や、ＤＶＤ読取装置２によってＤＶＤから読み取られた情報に基づいて、映像情報を生成する処理を実行する。なお放送信号とＤＶＤから読取られた情報のうちの、何れに基づいて映像情報を生成するかについては、不図示のユーザインターフェースを通じて、ユーザが任意に選択できるようになっている。
【００３１】
ドライブ信号生成部３３は、信号処理部３２から受け取った映像情報に基づいて、ＬＣＤ［Liquid Crystal Display（液晶ディスプレイ）］３４に映像を表示させるためのドライブ信号を生成する。またＬＣＤ３４は、ドライブ信号に基づいてバックライトからの光の透過量を画素毎に調整し、映像を表示させる。
【００３２】
ＴＶ側マイコンは３５、信号処理部３２やドライブ信号生成部３３でなされる処理など、ＴＶ放送受信装置３においてなされる各処理を制御する。またＤＶＤ再生システム１の起動に際しては、ＴＶ放送受信装置３における各装置の立上げを行う。また後述するように、ＤＶＤ再生システム１のスロットイン起動時における引込処理をも制御する。
【００３３】
以上の構成によりＤＶＤ再生システム１は、ＤＶＤ読取装置２によって、セッティングされたＤＶＤから情報を読み取り、ＴＶ放送受信装置３によって、この情報に基づいた映像を表示させることができる。また不図示のユーザインターフェースを通じたユーザの操作（例えばボタン操作やリモコン操作）により、ＯＦＦ状態とＯＮ状態が切替えられるようになっている。
【００３４】
ここでＯＦＦ状態とは、ＤＶＤ再生システム１での情報読取や映像表示がなされない状況を想定して設けられたもの（いわゆる、スタンバイモードや待機モードと呼ばれるもの）である。このＯＦＦ状態では、ＤＶＤ再生システム内の各装置に供給される電力は最小限度に抑えられているが、所定の操作等をトリガーとして、起動処理（ＯＮ状態へ移行させる処理）を開始させることができる。ただし時計機能や起動開始のタイミングの監視など、一部の必要な処理についてはＯＦＦ状態でも実行されている。
【００３５】
またＯＮ状態とは、ＤＶＤ再生システム１が使用される状況を想定して設けられたものである。このＯＮ状態では、ＤＶＤ再生システム１を通常通り機能させることが可能となっている。つまり、ＤＶＤ再生システム１に情報読取や映像表示を行わせるにあたっては、このようにＯＮ状態とさせておく必要がある。ＯＮ状態は、ＯＦＦ状態において起動処理がなされることで実現される。
【００３６】
そしてＤＶＤ再生システム１は、ＯＦＦ状態時において、ディスク挿入部２１におけるスロットイン式の挿入口にＤＶＤが所定量挿入されると、自動的に起動処理（「スロットイン起動」と称する）が行われてＯＮ状態に移行する。ここでこのスロットイン起動の処理の流れについて、図２に示すフローチャートを参照しながら、以下に説明する。
【００３７】
ＯＦＦ状態の時、ＤＶＤ再生システム１はＤＶＤが所定量挿入されたか否かを監視しており（ステップＳ１１）、所定量挿入されたことを検知すると（ステップＳ１１のＹ）、まずＴＶ側マイコン３５を起動させる（ステップＳ１２）。なおステップＳ１１およびＳ１２の処理は、別途設けられた制御装置などによりなされる。
【００３８】
ステップＳ１２の処理によりＴＶ側マイコン３５が起動されると、ＴＶ側マイコン３５はＴＶ放送受信装置３を立ち上げて、供給される映像情報に基づいた映像表示が可能な状態とする（ステップＳ２１）。またかかるＴＶ放送受信装置３の立ち上げ処理は、ＬＣＤ３４におけるバックライトを点灯させる処理を含んでいる。なお、このようにＴＶ放送受信装置３の立ち上げが、ＤＶＤ読取装置２の立上げよりも先になされることにより、テレビ放送の受信をより早期に開始させることが可能となっている。
【００３９】
そしてＴＶ放送受信装置３の立上げ後、ＴＶ側マイコン３５はディスク挿入部２１に対し、挿入口に所定量挿入されているＤＶＤを本体内部に完全に引き込ませる処理（ＤＶＤを引き込むためのモータを回転させる処理や、完全に引き込まれたときにモータを停止させる処理など）を実行させる（ステップＳ２２）。その後、ＴＶ側マイコン３５は、ＤＶＤ側マイコン２３を起動させる（ステップＳ２３）。ステップＳ２３の処理まで実行されると、以降ＴＶ側マイコン３５は、ＤＶＤ再生システム１のＯＮ状態における通常の処理を実行する。
【００４０】
一方、ステップＳ２３の処理により起動されたＤＶＤ側マイコン２３は、ＤＶＤ読取装置２を立ち上げて、ＤＶＤから情報を読取る処理などを実行できるようにする（ステップＳ３１）。以降、ＤＶＤ側マイコン２３は、ＤＶＤ再生システム１の駆動時における通常の処理を実行する。
【００４１】
なお上述の通り、引込処理の制御は、ＴＶ放送受信装置３の立上げ処理を制御するＴＶ側マイコン３５によってなされるものとなっている。そのため、ＴＶ放送受信装置３の立上げ後、直ちに引込処理を行い、ＤＶＤの引き込みを早いタイミングで実行させることが容易となっている。
【００４２】
ここで、スロットイン起動時にＤＶＤが所定量挿入されたまま（露出されたまま）となっている時間について、仮に引込処理をＤＶＤ読取装置２側のマイコン（ＤＶＤ側マイコン２３）に行わせるようにした場合と、本実施形態のように、引込処理をＴＶ放送受信装置３側のマイコン（ＴＶ側マイコン３５）に行わせるようにした場合に分けて、図３を参照しながら説明する。
【００４３】
まず、引込処理をＤＶＤ側マイコン２３に行わせるようにした場合について、図３（ａ）に基づいて説明する。この場合、ディスク挿入部２１にＤＶＤが所定量挿入されることにより、ＴＶ放送受信装置３の立上げ処理が開始される。そしてＴＶ放送受信装置３側の立上げ処理が完了すると、ＴＶ側マイコン３５の指示によってＤＶＤ読取装置２側の立上げ処理が開始される。
【００４４】
その後、このＤＶＤ読取装置２の立上げ処理によってＤＶＤ側マイコン２３が起動されると、ＤＶＤ側マイコン２３は各種処理を実行することが可能となる。そこで、ＤＶＤ側マイコン２３は、引込処理を開始することとする。
【００４５】
つまりこの場合、ＤＶＤが所定量挿入されてから、早くとも、ＴＶ放送受信装置３の立上げ時間およびＤＶＤ側マイコン２３の起動時間を経た後に、ＤＶＤがＤＶＤ読取装置２の本体内部に引き込まれることになる。言い換えれば、かかる時間が経過するまでは、ＤＶＤはユーザによって挿入されたままの状態になっていることとなる。
【００４６】
次に、引込処理をＴＶ側マイコン３５に行わせるようにした場合について、図３（ｂ）に基づいて説明する。この場合、ディスク挿入部２１にＤＶＤが所定量挿入されることにより、ＴＶ放送受信装置３の立上げ処理が開始される。そしてＴＶ放送受信装置３の立上げ処理が完了した時点で、ＴＶ側マイコン３５によって引込処理が開始される。
【００４７】
その結果、ＤＶＤが所定量挿入されてからＴＶ放送受信装置３の立上げ時間を経た後、ＤＶＤ側マイコン２３の起動時間を待たずに、ＤＶＤをＤＶＤ読取装置２の本体内部に引き込むことが可能となっている。このように、引込処理をＤＶＤ側マイコン２３に行わせるようにした場合に比べて、引込処理をＴＶ側マイコン３５に行わせるようにした場合には、少なくとも、ＤＶＤ側マイコン２３の起動時間の分だけ、早いタイミングでＤＶＤを引き込むことが可能となっている。
【００４８】
引込処理はＤＶＤ読取装置２側の処理であるため、本来であれば、ＤＶＤ側マイコン２３により実行されるものである。しかし本実施形態では、スロットイン起動時の引込処理をあえてＴＶ側マイコン３５に実行させることで、かかる引込処理をより早いタイミングで開始させることが可能となっている。
【００４９】
以上に説明した通り、本実施形態のＤＶＤ再生システム１は、スロットイン式のディスク挿入部２１を有し、このディスク挿入部２１を通じてセットされたディスク（ＤＶＤ）から情報を読み取る処理を実行するＤＶＤ読取装置２と、ＬＣＤ３４を有し、ＤＶＤ読取装置２から伝送された情報に基づいて、ＬＣＤ３４に映像を表示させる処理を実行するＴＶ放送受信装置３（映像表示装置）と、を備えている。
【００５０】
またＤＶＤ再生システム１がＯＦＦ状態の時に、ディスク挿入部２１にＤＶＤが所定量挿入されると、ＴＶ放送受信装置３およびＤＶＤ読取装置２が順に立ち上げられて、当該システムがＯＮ状態となるものである。また、挿入されたＤＶＤをＤＶＤ読取装置２の内部に引き込む処理が、ＴＶ放送受信装置３が立ち上げられた後であって、ＤＶＤ読取装置２の立ち上げが開始される前のタイミングで行われるものである。
【００５１】
そのため、ＤＶＤ読取装置２の立ち上げが開始された後のタイミングでＤＶＤの引き込みがなされるもの（ＤＶＤ読取装置２側の制御装置が引き込み処理を制御する場合、通常このようになる）に比べて、ＤＶＤの引き込みをより早いタイミングで実行させることが容易となる。
【００５２】
その結果、ＤＶＤを差し込んでもなかなか引き込まれないために、ユーザが違和感を抱いたりストレスを感じたりすることを、極力防ぐことが可能となっている。またＤＶＤが中途半端に挿入されたままの状態でユーザが誤ってＤＶＤに触れ、ＤＶＤが傷んでしまうような事態も、極力防ぐことが可能となっている。
【００５３】
以上、本発明の実施形態について説明したが、本発明はこの内容に限定されず、本発明の趣旨を逸脱しない範囲で、種々の変更が可能である。例えばディスクの種類はＤＶＤに限らず、また、ディスクから読取られた情報に基づいて映像表示させる装置は、必ずしも放送受信装置である必要はない。
【産業上の利用可能性】
【００５４】
本発明は、ＤＶＤ再生装置と映像表示装置を備えたＤＶＤ再生システム等の分野において利用可能である。
【図面の簡単な説明】
【００５５】
【図１】本発明の実施形態に係るＤＶＤ再生システムの構成図である。
【図２】スロットイン起動に係る処理の流れ図である。
【図３】スロットイン起動時における、ＤＶＤの露出時間に関する説明図である。
【符号の説明】
【００５６】
１    ＤＶＤ再生システム（ディスク再生システム）
２    ＤＶＤ読取装置（ディスク読取装置）
３    ＴＶ放送受信装置（映像表示装置）
２１    ディスク挿入部
２２    ディスク読取部
２３    ＤＶＤ側マイコン
３１    受信部
３２    信号処理部
３３    ドライブ信号生成部
３４    ＬＣＤ（ディスプレイ）
３５    ＴＶ側マイコン（制御装置）
【図１】
2008243247.tif 000003
【図２】
2008243247.tif 000004
【図３】
2008243247.tif 000005